(57)【要約】【課題】  フィルムや紙の製造や加工の分野に欠かせない耳落とし（エッジトリミング）を自動的に行い、かつ、発生する耳（エッジ）を安定的に回収できるトリミング装置を提供する。【解決手段】  トリミング装置は、カッター１５、アクチュエータ１４、搬送部１３、吸引部１８等を備え、搬送部１３は、アクチュエータ１４と押し当てローラ１４ａからなり、アクチュエータ１４は、押し当てローラ１４ａに往復動を与え、同ローラ１４ａは耳１２を吸引部１８の吸引口１９の方向へ搬送するよう構成される。同ローラ１４ａにより吸引口に搬送され切断刃１６ａに押し当てられた耳１２は、走行しながら張力により切断され、以降、吸引部１８に連続的に吸引される。【選択図】  図１
2013198968.tif 000002
【特許請求の範囲】
【請求項１】
ウェブの走行方向に沿って端部を切り離すカッターと、前記カッターにより切り離された前記端部を吸引する吸引口を有する吸引部からなるトリミング装置において、
前記カッターと前記吸引部の間に設けられ、前記端部を前記吸引部の吸引口に導く搬送部と、
前記吸引口に設けられ、前記搬送部により導かれた前記端部を切断する切断刃と、
を備えることを特徴とするトリミング装置。
【請求項２】
前記搬送部は、前記端部に当接する押当て部と、該押当て部に往復動作を与えるアクチュエータからなり、前記押当て部は前記端部の走行に合わせて回転するローラを備えることを特徴とする請求項１記載のトリミング装置。
【請求項３】
前記搬送部は、前記端部に当接する押当て部と、該押当て部に往復動作を与えるアクチュエータからなり、前記押当て部は前記切断刃と対となって該切断刃との摺動により前記端部を剪断する剪断刃を備えることを特徴とする請求項１記載のトリミング装置。
【発明の詳細な説明】
【技術分野】
【０００１】
本発明は、ウェブの製造加工の際に生じる端部のいわゆる耳またはエッジといわれる部分を除去するトリミング装置に関する。
【背景技術】
【０００２】
本発明でいうウェブとは、例えば合成樹脂製フィルムや紙のような厚さ数μｍから数ｍｍ程度の長尺の帯状物であり、そのウェブの製造は、通常、原材料を多くのローラで構成されたユニットの中で走行させながら加工を施し、最後に巻取りの形で仕上げるが、ここで不可欠なのが耳落としと呼ばれる工程である。
耳落としとは、例えばフィルムの延伸製造装置において、樹脂材料が走行しながら連続的に帯状に延伸され、巻き取られていく中で、走行方向に沿った両側の端部（両端縁部）の製品とはならない耳あるいはエッジと呼ぶ部分を断ち落とすことを云い、上記の製造工程でこれを行うのがエッジトリミング装置である。
【０００３】
図５は、エッジトリミング装置によるエッジトリミング（耳落とし）の手順を模式的に示したものである。
エッジトリミング装置は、ウェブ５１の耳５２に切れ込みを入れるトリムカッター５５と、耳５２を幅方向に切断する切断刃５６を備え、ウェブ５１から分離した耳５２を回収部（図示せず）で回収する。
【０００４】
図５（ａ）は、ウェブ５１の初期状態を表わす。初期状態とは、例えば立ち上がり等の製造の安定しない状態を指す。
図５（ｂ）は、製造が安定しエッジトリミングを開始した状態を表わす。ここではトリムカッター５５が入り、切れ込み５５ａを形成している。このとき、耳５２はウェブ５１と同様に巻取り（図示せず）に巻き上げられており、ウェブ５１と等速で走行している。
図５（ｃ）は、切断刃５６により耳５２が切断される態様を表わす。
図５（ｄ）は、切断後の耳５２がウェブ５１から分離された態様を表わす。このとき耳５２には巻き上げの張力が作用しなくなり、さらにウェブ５１の走行とともに連続的に生成されるため、通常は、エッジトリミング装置は何らかの回収手段を備え、耳５２が散乱することなく回収されるよう構成される。
なお、耳５２はウェブ５１の両側にあるので、通常は、図５に示すように、エッジトリミングがウェブ５１の両側に対してなされるようエッジトリミング装置を構成する。
【０００５】
特許文献１は、フィルム、紙等の製造装置に用いる耳処理装置に関する発明であり、シート状媒体の耳に切れ込みを入れ、さらに耳を幅方向に切断するカッターにより切断し、加圧空気を噴出するエアノズルにより回収部に送り込み、回収部に設けたニップローラで耳部を連続的に回収する技術を開示している。
また、特許文献２は、切断された耳を吸引して回収する風送装置を持つエッジトリミング装置の発明であり、耳を風送装置に搬送するために、圧空または吸引孔を付設したベルトを用いる案内ユニットを備えることを特徴としている。
【先行技術文献】
【特許文献】
【０００６】
【特許文献１】特開平１−１４６６９４号公報
【特許文献２】特開平５−１３１３９８号公報
【０００７】
ところが、上記文献のように、耳を切断する場所と回収する場所に隔たりがあり、さらに、その間を加圧空気により搬送するよう構成することは、運用の安定性の点で問題がある。すなわち、耳のように、細長く、軽い物体を噴射によって搬送しようとすると、搬送経路に部分負圧による貼り付き等が生じ、詰まりや引っ掛かりが生じやすい。また、媒体の組成や厚さの変化の影響も受けやすく、特に媒体が薄膜状のフィルムなどでは噴射の角度や強さに微妙な調整を要する。
特許文献２では吸引搬送による案内ユニットについても述べられているが、やはり、長く、軽く、薄い媒体に対しては吸着や離脱の安定性に欠け、また、機構が複雑であると云わざるを得ない。
【発明の概要】
【発明が解決しようとする課題】
【０００８】
そこで、本発明は、ウェブの製造分野に好適な、切り離された耳を安定して回収するエッジ（耳）のトリミング装置を提供することを課題とする。
【課題を解決するための手段】
【０００９】
本発明は、ウェブの走行方向に沿って端部を切り離すカッターと、前記カッターにより切り離された前記端部を吸引する吸引口を有する吸引部からなるトリミング装置において、
前記カッターと前記吸引部の間に設けられ、前記端部を前記吸引部の吸引口に導く搬送部と、前記吸引口に設けられ、前記搬送部により導かれた前記端部を切断する切断刃と、
を備えることを特徴とする。
【００１０】
また、前記搬送部は、前記端部に当接する押当て部と、該押当て部に往復動作を与えるアクチュエータからなり、前記押当て部は前記端部の走行に合わせて回転するローラを備えることを特徴とする。
さらに、前記搬送部は、前記端部に当接する押当て部と、該押当て部に往復動作を与えるアクチュエータからなり、前記押当て部は前記切断刃と対となって該切断刃との摺動により前記端部を剪断する剪断刃を備えることを特徴とする。
【発明の効果】
【００１１】
本発明のトリミング装置によれば、カッターにより切り離された耳を機械的に切断部まで搬送することにより、耳の組成や形状に左右されることなく安定した搬送を実現し、さらに切断場所を吸引口近くに設定することにより、耳は切断されるとともに直ちに吸引されるため、耳の回収が確実に行われる。
加えて、耳の切断が剪断力によりなされるため、耳の素材が強靭であっても、厚手であっても、確実な切断が行われる。
【図面の簡単な説明】
【００１２】
【図１】本発明のトリミング装置の第１の実施例を示す図
【図２】本発明のトリミング装置の工程遷移を示す図
【図３】本発明のトリミング装置の第２の実施例を示す図
【図４】本発明のトリミング装置の工程遷移を示す図
【図５】エッジトリミングの工程を示す図
【発明を実施するための形態】
【００１３】
＜実施例１＞
図１は、本発明のトリミング装置の第１の実施例を表わす。
本発明のトリミング装置は、カッター１５、搬送部１３、吸引部１８等を備える。
カッター１５は、ガイドローラ１７の近傍にあり、走行するウェブ１１に切れ込みを入れるものである。図１のような形態では、カッター１５としては円盤の円周部に刃を加工したロータリーカッタが多用される。
搬送部１３は、アクチュエータ１４と押し当てローラ１４ａからなり、アクチュエータ１４は、押し当てローラ１４ａに往復動を与え、同ローラ１４ａは耳１２を吸引部１８の吸引口１９の方向へ搬送するよう構成されている。
吸引部１８は負圧がかけられ、吸引口１９から空気が流入するよう構成されている。また、吸引口１９には、吸引口１９を横断する位置に切断刃１６ａが設けられている。
【００１４】
図２は、第１の実施例の作用を表わす遷移図である。
図２（ａ）は、製造の初期段階を表わし、ウェブ１１が走行している状態である。カッター１５はウェブ１１から離れた状態にあり、ウェブ１１は図５（ａ）の態様にある。
なお、図２（ａ）では、ウェブ１１と押し当てローラ１４ａが間隔を持って表現されているが、両者は離れた状態であっても、接触した状態であってもよい。
図２（ｂ）は、エッジトリミングを開始した状態であり、カッター１５がウェブ１１に接触して切れ込みを入れた態様を表わす。ウェブ１１は図５（ｂ）の状態に相当する。
またここで、押し当てローラ１４ａは移動を開始し、耳２２を吸引口１９の方向へ搬送する。このとき、耳２２はウェブ１１とともに走行しており、巻取り（図示せず）による張力が保持されている。また、押し当てローラ１４ａは耳２２の走行に連れて自由に回転するので、耳２２の走行を妨げることなく、走行したまま耳２２を吸引口１９へ搬送することが可能となる。
【００１５】
図２（ｃ）は、押し当てローラ１４ａが耳２２を切断刃１６ａに押し当てた状態を表わす。ウェブ１１は図５（ｃ）の状態に相当する。
耳２２は、切断刃１６ａに押し当てられると、前記張力の作用により引きちぎられ、一方は巻取り側へ、他方は吸引口１９から吸引部１８へ誘導される。
図２（ｄ）は、エッジトリミングが作動している状態であり、切り離された耳２３が吸引部１８に連続的に回収される様子を表わす。ウェブ１１は図５（ｄ）の状態に相当する。
このとき、カッター１５はウェブ１１へ連続的に切れ込みを入れ続け、押し当てローラ１４ａは初期位置に戻った状態にある。
【００１６】
図２に示すトリミング装置は、押し当てローラ１４ａを用いることにより、ウェブ１１が薄膜状のフィルムの場合のエッジトリミングには特に好適であり、また、フィルム状の媒体に対しては、前記張力による引きちぎりが効果的になされるよう、図１の拡大図に示すように切断刃１６ａの形状が鋸歯状であることが好ましい。
【００１７】
＜実施例２＞
図３は、本発明のトリミング装置の第２の実施例を表わす。
第２の実施例のトリミング装置は、第１の実施例のトリミング装置に対し、押し当てローラ１４ａに代えて剪断刃１４ｂを備えており、剪断刃１４ｂが、耳１２を吸引口１９の方向へ搬送するとともに、切断刃１６ｂと摺動することにより耳１２を剪断力で切断するよう構成されている。
【００１８】
この過程を示したものが図４である。
図４（ａ）は、製造の初期段階を表わす。このとき、ウェブ１１は図５（ａ）の態様にある。
図４（ｂ）は、エッジトリミングを開始した態様を表わし、ウェブ１１は図５（ｂ）の状態に相当する。
ここで、剪断刃１４ｂは移動を開始し、耳２２を吸引口１９の方向へ搬送する。このとき、耳２２はウェブ１１とともに走行しており、巻取り（図示せず）に巻き取られる。
【００１９】
図４（ｃ）は、剪断刃１４ｂが切断刃１６ｂに達し、摺動する状態を表わす。ウェブ１１は図５（ｃ）の状態に相当する。
このとき、耳２２は剪断刃１４ｂと切断刃１６ｂに挟まれ、剪断力によって切断され、一方は巻取り側へ、他方は吸引口１９から吸引部１８へと誘導される。
図４（ｄ）は、エッジトリミングが作動している状態であり、切り離された耳２３が吸引部１８に連続的に回収される様子を表わす。ウェブ１１は図５（ｄ）の状態に相当する。
このとき、カッター１５はウェブ１１への切れ込みを連続的に続け、剪断刃１４ｂは初期位置に戻った状態にある。
【００２０】
第２の実施例のエッジトリミング装置は、剪断刃１４ｂと切断刃１６ｂの摺動により切断するので、ウェブ１１に強度がある場合、あるいは厚手の場合に特に好適である。また、切断刃１６ｂは、直線状が好ましいが鋸歯状であってもよく素材や厚さにより適宜選択できる。
【符号の説明】
【００２１】
１  トリミング装置
１１  ウェブ
１２  耳
１３  搬送部
１４  アクチュエータ
１４ａ  押し当てローラ
１４ｂ  剪断刃
１５  カッター
１６ａ  切断刃
１６ｂ  切断刃
１７  ガイドローラ
１８  吸引部
１９  吸引口
２２  耳
【図１】
2013198968.tif 000003
【図２】
2013198968.tif 000004
【図３】
2013198968.tif 000005
【図４】
2013198968.tif 000006
【図５】
2013198968.tif 000007